【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局において、ネットワークノードから、ユーザ機器（ＵＥ）に関連するページング要求を受信することと、ここにおいて、前記ページング要求が前記ＵＥのための小データパケットを備える、
ページを前記ＵＥに送信することと、
前記ＵＥからランダムアクセスプリアンブルを受信することと、
前記ランダムアクセスプリアンブルに応答して、ランダムアクセス応答中で前記小データパケットを前記ＵＥに送信することと
を備える、方法。
【請求項２】
前記小データパケットの正確な受信を示す肯定応答を前記ＵＥから受信することと、
前記ネットワークノードに、前記小データパケットが前記ＵＥに配信されたという確認を送信することと
をさらに備える、請求項１に記載の方法。
【請求項３】
前記ランダムアクセスプリアンブルが、小データパケットのコネクションレス転送に関連する物理ランダムアクセスチャネル（ＰＲＡＣＨ）リソースのセット上で受信される、請求項１に記載の方法。
【請求項４】
ワイヤレス通信のための方法であって、
ユーザ機器（ＵＥ）において、基地局からページを受信することと、
前記ページに応答してランダムアクセスプリアンブルを前記基地局に送信することによって、ランダムアクセスプロシージャを開始することと、
前記基地局からランダムアクセス応答中で小データパケットを受信することと、前記ランダムアクセス応答が、前記ランダムアクセスプリアンブルに応答する、
前記小データパケットに肯定応答することと
を備える、方法。
【請求項５】
前記ランダムアクセスプリアンブルが、小データパケットのコネクションレス転送に関連する物理ランダムアクセスチャネル（ＰＲＡＣＨ）リソースのセット上で送信される、請求項４に記載の方法。
【請求項６】
基地局であって、
基地局において、ネットワークノードから、ユーザ機器（ＵＥ）に関連するページング要求を受信するための手段と、ここにおいて、前記ページング要求が前記ＵＥのための小データパケットを備える、
ページを前記ＵＥに送信するための手段と、
前記ＵＥからランダムアクセスプリアンブルを受信するための手段と、
前記ランダムアクセスプリアンブルに応答して、ランダムアクセス応答中で前記小データパケットを前記ＵＥに送信するための手段と
を備える、基地局。
【請求項７】
前記小データパケットの正確な受信を示す肯定応答を前記ＵＥから受信するための手段と、
前記ネットワークノードに、前記小データパケットが前記ＵＥに配信されたという確認を送信するための手段と
をさらに備える、請求項６に記載の基地局。
【請求項８】
前記ランダムアクセスプリアンブルが、小データパケットのコネクションレス転送に関連する物理ランダムアクセスチャネル（ＰＲＡＣＨ）リソースのセット上で受信される、請求項６に記載の基地局。
【請求項９】
ユーザ機器（ＵＥ）であって、
基地局からページを受信するための手段と、
前記ページに応答してランダムアクセスプリアンブルを前記基地局に送信することによって、ランダムアクセスプロシージャを開始するための手段と、
前記基地局からランダムアクセス応答中で小データパケットを受信するための手段と、前記ランダムアクセス応答が、前記ランダムアクセスプリアンブルに応答する、
前記小データパケットに肯定応答するための手段と
を備える、ＵＥ。
【請求項１０】
前記ランダムアクセスプリアンブルが、小データパケットのコネクションレス転送に関連する物理ランダムアクセスチャネル（ＰＲＡＣＨ）リソースのセット上で送信される、請求項９に記載のＵＥ。
【請求項１１】
請求項１〜５のうちのいずれか一項のステップを実行するように配置されたソフトウェアコードを組み込むストレージデバイス。
【手続補正２】
【補正対象書類名】明細書
【補正対象項目名】０１１６
【補正方法】変更
【補正の内容】
【０１１６】
[0127]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
ワイヤレス通信のための方法であって、
ユーザ機器（ＵＥ）に送信される小データパケットを受信することと、
前記小データパケットをページング要求にフォーマットすることと、前記ページング要求がＵＥ識別情報と前記小データパケットとを含む、
前記ページング要求を１つまたは複数の基地局に送信することと
を備える、方法。
［Ｃ２］
前記小データパケットの配信の確認が受信されたかどうかを決定することと、
定義された時間期間内に前記確認がない場合、前記ページング要求を前記１つまたは複数の基地局に再送信することと
をさらに備える、Ｃ１に記載の方法。
［Ｃ３］
前記小データパケットを前記ページング要求に前記フォーマットすることが、制御プレーンデータ暗号化鍵または制御プレーンデータ完全性鍵の一方または両方を適用することを備える、Ｃ１に記載の方法。
［Ｃ４］
前記ページング要求は、前記ページング要求が前記小データパケットを含むことを示すヘッダ情報をさらに含む、Ｃ１に記載の方法。
［Ｃ５］
前記方法が、発展型パケットコアのエンティティによって実行される、Ｃ１に記載の方法。
［Ｃ６］
前記方法が、セルラーモノのインターネット（ＣＩｏＴ）サービングゲートウェイノード（Ｃ−ＳＧＮ）によって実行される、Ｃ５に記載の方法。
［Ｃ７］
ワイヤレス通信のための方法であって、
基地局において、ネットワークノードから、ユーザ機器（ＵＥ）に関連するページング要求を受信することと、ここにおいて、前記ページング要求が前記ＵＥのための小データパケットを備える、
ページを前記ＵＥに送信することと、
前記ＵＥからアクセス要求を受信することと、
前記アクセス要求に応答して、前記小データパケットを前記ＵＥに送信することと
を備える、方法。
［Ｃ８］
前記小データパケットの正確な受信を示す肯定応答を前記ＵＥから受信することと、
前記ネットワークノードに、前記小データパケットが前記ＵＥに配信されたという確認を送信することと
をさらに備える、Ｃ７に記載の方法。
［Ｃ９］
前記小データパケットを前記ＵＥに前記送信することが、シグナリング無線ベアラに関連する制御プレーンメッセージ中で前記小データパケットを送信することを含む、Ｃ７に記載の方法。
［Ｃ１０］
前記制御プレーンメッセージが、前記アクセス要求を備えるランダムアクセスプロシージャのメッセージを備える、Ｃ７に記載の方法。
［Ｃ１１］
前記ランダムアクセスプロシージャにおいて、小データ要求フィールドを備える接続要求メッセージを受信することをさらに備え、
ここにおいて、前記送信することが、前記接続要求メッセージに応答して、接続確立メッセージ中で前記小データパケットを前記ＵＥに送信することを備える、
Ｃ９に記載の方法。
［Ｃ１２］
前記ＵＥへの前記ページは、前記小データパケットが送信されるというインジケーションを含む、Ｃ７に記載の方法。
［Ｃ１３］
前記アクセス要求が、小データパケットのコネクションレス転送に関連する物理ランダムアクセスチャネル（ＰＲＡＣＨ）リソースのセット上で受信される、Ｃ７に記載の方法。
［Ｃ１４］
ワイヤレス通信のための方法であって、
ユーザ機器（ＵＥ）において、基地局からページを受信することと、
前記ページに応答してアクセス要求を前記基地局に送信することによって、ランダムアクセスプロシージャを開始することと、
前記基地局とのデータ接続のための専用無線ベアラのアクティブ化より前に、制御プレーンメッセージ中で小データパケットを受信することと、
前記小データパケットに肯定応答することと
を備える、方法。
［Ｃ１５］
前記制御プレーンメッセージが、前記ランダムアクセスプロシージャの一部である、Ｃ１４に記載の方法。
［Ｃ１６］
前記制御プレーンメッセージが、前記ランダムアクセスプロシージャのランダムアクセス応答メッセージである、Ｃ１４に記載の方法。
［Ｃ１７］
接続要求メッセージ中で、小データ要求フィールドを送信することをさらに備え、
ここにおいて、前記小データパケットが、前記接続要求メッセージに応答して送られる接続確立メッセージ中で受信される、
Ｃ１４に記載の方法。
［Ｃ１８］
前記アクセス要求が、小データパケットのコネクションレス転送に関連する物理ランダムアクセスチャネル（ＰＲＡＣＨ）リソースのセット上で送信される、Ｃ１４に記載の方法。
［Ｃ１９］
通信のための装置であって、
ユーザ機器（ＵＥ）に送信される小データパケットを受信するための手段と、
前記小データパケットをページング要求にフォーマットするための手段と、前記ページング要求がＵＥ識別情報と前記小データパケットとを含む、
前記ページング要求を１つまたは複数の基地局に送信するための手段と
を備える、装置。
［Ｃ２０］
前記小データパケットの配信の確認が受信されたかどうかを決定するための手段と、
定義された時間期間内に前記確認がない場合、前記ページング要求を前記１つまたは複数の基地局に再送信するための手段と
をさらに備える、Ｃ１９に記載の装置。
［Ｃ２１］
前記小データパケットを前記ページング要求にフォーマットするための前記手段が、
制御プレーンデータ暗号化鍵または制御プレーンデータ完全性鍵の一方または両方を適用するための手段
を備える、Ｃ１９に記載の装置。
［Ｃ２２］
前記ページング要求は、前記ページング要求が前記小データパケットを含むことを示すヘッダ情報をさらに含む、Ｃ１９に記載の装置。
［Ｃ２３］
前記装置が発展型パケットコアのエンティティである、Ｃ１９に記載の装置。
［Ｃ２４］
前記装置がセルラーモノのインターネット（ＣＩｏＴ）サービングゲートウェイノード（Ｃ−ＳＧＮ）である、Ｃ２３に記載の装置。